(57)【特許請求の範囲】
【請求項１】
レンチキュラースクリーンを介して観察される画像の作製方法であって、
前記レンチキュラースクリーンを構成する各レンチキュラーレンズの幅寸法を計測して計測値を取得し、
レンチキュラーレンズの下に形成される圧縮画像の配置、数、又は寸法を可変することにより、各レンチキュラーレンズについて、それぞれのレンチキュラーレンズの下に形成される圧縮画像の幅寸法を当該レンチキュラーレンズの計測値に一致させる、
ことを特徴とするレンチキュラースクリーンを介して観察される画像の作製方法。
【請求項２】
前記レンチキュラースクリーンを樹脂成形するための成形型の寸法を計測することによって前記計測値を取得する、
請求項１記載のレンチキュラースクリーンを介して観察される画像の作製方法。
【請求項３】
同じ成形型によって樹脂成形された１つ又は複数のレンチキュラースクリーンの寸法を計測することによって前記計測値を取得する、
請求項１記載のレンチキュラースクリーンを介して観察される画像の作製方法。
【発明の詳細な説明】
【０００１】
【発明の属する技術分野】
本発明は、レンチキュラースクリーンを介して観察される画像の作製方法に関する。
【０００２】
【従来の技術】
従来より、複数のレンチキュラーレンズからなるレンチキュラースクリーンを用いた立体写真が普及している。これは、紙又は樹脂シートなどの記録媒上に形成された複数の圧縮画像を、レンチキュラースクリーンを介して観察することによって、画像を立体的に見ることができ、又は見る角度によって異なる画像を見ることができるようにしたものである。
【０００３】
圧縮画像の形成方法として、視差のある複数の原画像が形成されたフィルムを用い、レンチキュラースクリーンを介して印画紙に写真焼付けによって形成する方法が伝統的に採用されていたが、近年においては、コンピュータによって圧縮画像をコンピュータ上で予め画像データとして作製しておき、その画像データに基づいて印刷装置で用紙などの記録媒体に印刷する方法がしばしば採用されている。
【０００４】
コンピュータを用いる後者の方法においては、観察に使用するレンチキュラーレンズの幅寸法（ピッチ）及び圧縮画像の個数などに応じて、圧縮画像のサイズが決定される。
【０００５】
【発明が解決しようとする課題】
さて、立体写真が鮮明な画像で綺麗に見えるためには、レンチキュラーレンズのピッチと記録媒体に形成される圧縮画像のピッチとを正確に合わせておく必要がある。
【０００６】
ところが、レンチキュラーレンズは、通常、プラスチックを用いた型成形によって作製されるので、設計上のピッチと実際の製品のピッチとの間に誤差が生じる。
【０００７】
そのため、記録媒体に形成された圧縮画像の上にレンチキュラースクリーンを載せた際に、レンチキュラーレンズと圧縮画像とが、ある部分においては正確に合うが、他のある部分においてはずれが生じることがある。
【０００８】
したがって、従来においては、形成される圧縮画像のピッチとレンチキュラーレンズのピッチとが各部において正確に一致せず、立体写真が綺麗に見えないという問題があった。
【０００９】
本発明は、上述の問題に鑑みてなされたもので、形成される圧縮画像の幅寸法（ピッチ）を実際のレンチキュラーレンズの幅寸法と一致させ、立体写真などをより一層綺麗に観察できることを可能とした、レンチキュラースクリーンを介して観察される画像の作製方法を提供することを目的とする。
【００１０】
請求項１の発明に係る方法は、レンチキュラースクリーンを介して観察される画像の作製方法であって、前記レンチキュラースクリーンを構成する各レンチキュラーレンズの幅寸法を計測して計測値を取得し、計測値と基準値とを比較し、レンチキュラーレンズの下に形成される圧縮画像の配置、数、又は寸法を可変することにより、各レンチキュラーレンズについて、それぞれのレンチキュラーレンズの下に形成される圧縮画像の幅寸法を当該レンチキュラーレンズの計測値に一致させる。
【００１１】
請求項２の発明に係る方法では、前記レンチキュラースクリーンを樹脂成形するための成形型の寸法を計測することによって前記計測値を取得する。
請求項３の発明に係る方法では、同じ成形型によって樹脂成形された１つ又は複数のレンチキュラースクリーンの寸法を計測することによって前記計測値を取得する。
【００１２】
【発明の実施の形態】
図１は本発明に係る圧縮画像の作製方法を説明するための図である。
図１（Ａ）において、レンチキュラースクリーンＬＳは、レンチキュラーレンズＬＬからなっている。それぞれのレンチキュラーレンズＬＬは、断面がかまぼこ型を呈しており、且つ線状に互いに平行に伸びている。
【００１３】
各レンチキュラーレンズＬＬの幅寸法Ｐは、その設計値（基準値）はすべて同じ値であるが、実際には、それらは製品誤差のために完全には一致しない。製品誤差の原因として、例えば次の要因がある。
【００１４】
すなわち、レンチキュラースクリーンＬＳは、通常、成形型を用いて樹脂成形される。成形型の製作過程において、ダイヤモンドバイトの微妙な歪み、精度の狂い、又は研削過程の精度の狂いなどによって、成形型において、各レンチキュラーレンズＬＬとなる部分の幅寸法が設計値から誤差を持ってしまう。また、成形型によって樹脂成形した際に、樹脂の温度、圧力、成分などの微妙な差異によって、成形型の寸法から誤差を持ってしまうことがある。
【００１５】
そこで、各レンチキュラーレンズＬＬの幅寸法Ｐの実際の値をＰ１，Ｐ２，Ｐ３…とする。これらの値Ｐ１，Ｐ２，Ｐ３…は、各レンチキュラーレンズＬＬの幅寸法を計測することによって取得される。つまり、この場合に、値Ｐ１，Ｐ２，Ｐ３…は計測値である。
【００１６】
レンチキュラースクリーンＬＳにおいて、レンチキュラーレンズＬＬの計測値Ｐ１，Ｐ２，Ｐ３…を取得するには、例えば次の方法が用いられる。１つの方法は、投影機を用い、レンチキュラーレンズＬＬの端面形状を拡大投影して測定する。この場合には、例えば１μｍ程度の精度で測定可能である。他の１つの方法は、表面粗さ計を用い、レンチキュラースクリーンＬＳの表面状態を拡大して計測する。また、他の方法では、適当な冶具を用い、マイクロメータなどにより測定する。
【００１７】
計測値Ｐ１，Ｐ２，Ｐ３…を取得する際に、レンチキュラースクリーンＬＳそれ自体を計測してもよい。その場合には、１つの同じ成形型から作製された数個のレンチキュラースクリーンＬＳについて計測を行い、それらの平均値などを求めればよい。得られた計測値Ｐ１，Ｐ２，Ｐ３…は、それと同じ成形型を用いて作製されたレンチキュラースクリーンＬＳに対して適用される。
【００１８】
また、成形型を計測することによって計測値Ｐ１，Ｐ２，Ｐ３…を得てもよい。この場合には、得られた計測値Ｐ１，Ｐ２，Ｐ３…は、その成形型を用いて作製されたレンチキュラースクリーンＬＳに対して適用される。
【００１９】
図２は３種類のレンチキュラースクリーンＬＳ１〜３についての計測値Ｐ１，Ｐ２，Ｐ３…の例を示す図である。なお、基準値は全てについて「３８．２」である。単位はミクロンである。
【００２０】
図２に示すように、１つ目のレンチキュラースクリーンＬＳ１についての計測値は、基準値に対して一定のリズムで漸増しており、その誤差は等差級数的に誤差が増大している。
【００２１】
２つ目のレンチキュラースクリーンＬＳ２についての計測値は、基準値に対して同じ一定の誤差を有している。３つ目のレンチキュラースクリーンＬＳ３についての計測値は、基準値に対して不規則な誤差を有している。このように、計測値の基準値に対する誤差には種々のパターンがある。
【００２２】
図１（Ｂ）に戻って、１つのレンチキュラーレンズＬＬの下に、５つの圧縮画像１，２，３，４，５が形成されるものとする。５つの圧縮画像のセットを圧縮画像ＦＰと記載する。この場合に、各レンチキュラーレンズＬＬの幅寸法の計測値Ｐ１，Ｐ２，Ｐ３…の中に、それぞれ５つの圧縮画像ＦＰ１，２，３…がきっちりと配置されるのが好ましい。
【００２３】
しかし、上に述べたように計測値Ｐ１，Ｐ２，Ｐ３…には誤差があるので、全ての圧縮画像ＦＰ１，２，３…を、同じ配置、数、及び寸法で形成した場合には、レンチキュラーレンズＬＬの下からはみ出したり、隣のレンチキュラーレンズＬＬの下に入ってしまったり、レンチキュラーレンズＬＬの下に配置される圧縮画像の配置がでたらめなものとなってしまう可能性がある。
【００２４】
そこで、本実施形態においては、計測値Ｐ１，Ｐ２，Ｐ３…と基準値とを比較し、その差に応じて、各レンチキュラーレンズＬＬの下に形成される圧縮画像ＦＰ１，２，３…の配置、数、又は寸法を可変する。
【００２５】
図３は計測値Ｐａを有する１つのレンチキュラーレンズＬＬの下に形成される圧縮画像ＦＰａの配置例を示す図である。
図３（Ａ）は、計測値Ｐａが基準値よりも大きい場合であり、５つ目の圧縮画像５が２回形成されている。その場合に、２回目に形成される圧縮画像５は、計測値Ｐａに合うように、幅方向に圧縮され又は一部が削除されている。
【００２６】
図３（Ｂ）は、計測値Ｐａが基準値よりも小さい場合であり、５つ目の圧縮画像５は、計測値Ｐａに合うように、幅方向に圧縮され又は一部が削除されている。なお、この場合に、５つの圧縮画像１〜５の全てについて、均等に幅方向に圧縮し又は一部を削除することによって、計測値Ｐａに合わせてもよい。
【００２７】
図３（Ｃ）は、計測値Ｐａが基準値よりも小さい場合であり、レンチキュラーレンズＬＬの計測値Ｐａの下に、４つの圧縮画像１〜４のみが入っている。この場合に、４つの圧縮画像１〜４は、計測値Ｐａに合うように、それぞれの幅方向に少し拡大されている。
【００２８】
図３（Ｄ）は、計測値Ｐａが基準値よりも大きい場合であり、５つ目の圧縮画像５が形成された後、余りの部分は空白となっている。その結果、次のレンチキュラーレンズＬＬの下には、圧縮画像が１つ目から正しく配置される。
【００２９】
またレンチキュラーレンズＬＬの下に空白部分ができてしまう場合に、その空白部分が左右の端部に振り分けられて配置されるよう、圧縮画像を中央に配置してもよい。
【００３０】
また、レンチキュラーレンズＬＬの下に形成される圧縮画像を幅方向に拡大又は縮小する場合に、中央部に配置される圧縮画像の拡大率又は縮小率を、端部に配置される圧縮画像のそれらよりも小さくし、又は大きくしておいてもよい。
【００３１】
このように、圧縮画像の配置、数、又は寸法を可変するには、圧縮画像を形成するためのデータ処理装置において、データ処理又は画像処理を行えばよい。その際に、レンチキュラーレンズＬＬの計測値Ｐ１，Ｐ２，Ｐ３…に応じて、圧縮画像の配置、数、又は寸法を各計測値に合うように可変するための適当なアルゴリズムが用いられる。そのようなアルゴリズムは、処理装置のＣＰＵによって実行されるプログラムとして提供される。データ処理装置として、パーソナルコンピュータ、ワークステーション、又は専用機などが用いられる。
【００３２】
図４はレンチキュラースクリーンを介して観察される画像の作成手順を示すフローチャートである。
図４において、レンチキュラースクリーンＬＳの各レンチキュラーレンズＬＬの幅寸法Ｐを計測する（＃１１）。これによって計測値Ｐ１，Ｐ２，Ｐ３…が得られる。計測値と基準値とが比較される（＃１２）。基準値として、例えば設計値が用いられる。なお、ここでの比較は、必ずしも１対１で比較するものではなく、計測値に対し、基準値を意識した何らかのデータ処理を行う場合を含む。そして、圧縮画像をどのように配置するかを演算する（＃１３）。
【００３３】
演算された結果に基づいて、圧縮画像を用紙などの記録媒体に形成する（＃１４）。ここで、圧縮画像の形成のために、例えば、印刷又は写真焼付けなどが行われる。圧縮画像の形成された記録媒体をレンチキュラーレンズＬＬと一体化して完成させる（＃１５）。
【００３４】
本実施形態によると、形成される圧縮画像の幅寸法（ピッチ）を実際のレンチキュラーレンズの幅寸法と一致させることができる。したがって、立体写真などをより一層綺麗に観察できることが可能となる。
【００３５】
上に述べた実施形態において、圧縮画像の形成のために、例えば、特開平１０−６５８９９号に記載の技術、その他の公知の種々の技術を適用することが可能である。
【００３６】
【発明の効果】
本発明によると、形成される圧縮画像の幅寸法（ピッチ）を実際のレンチキュラーレンズの幅寸法と一致させ、立体写真などをより一層綺麗に観察できることが可能となる。
【図面の簡単な説明】
【図１】本発明に係る圧縮画像の作製方法を説明するための図である。
【図２】種々のレンチキュラースクリーンについての計測値の例を示す図である。
【図３】１つのレンチキュラーレンズの下に形成される圧縮画像の配置例を示す図である。
【図４】レンチキュラースクリーンを介して観察される画像の作成手順を示すフローチャートである。
【符号の説明】
ＬＳ  レンチキュラースクリーン
ＬＬ  レンチキュラーレンズ
Ｐ１，Ｐ２，Ｐ３…  計測値
【図１】
0004215349.tif 000002
【図２】
0004215349.tif 000003
【図３】
0004215349.tif 000004
【図４】
0004215349.tif 000005